(57)【要約】【課題】  光源が威嚇と照明とに兼用される防犯システムを提供する。【解決手段】  通話用の通話部１２と、所定の検出範囲の人体を検出する人体検出部１３と、検出範囲に対する照明が可能な照明部１５と、検出範囲に入る人体が保持するＩＣタグから識別情報を読み取る無線読取部１４とをセンサライト１に備えるとともに、通話用の通話部２２と、識別情報が格納される記憶部２６とを親機２に備える。人体検出部１３に人体が検出された後、所定の読取期間内に、記憶部２６に格納された識別情報のいずれかが無線読取部１４によって読み取られた場合には照明部１５の点灯のみが行なわれ、記憶部２６に格納された識別情報のいずれも無線読取部１４によって読み取られなければ照明部１５が点灯するとともに通話部１２，２２が警報音の発生を開始する。【選択図】図１
2009205286.tif 000002
【特許請求の範囲】
【請求項１】
所定の検出範囲の人体を検出する人体検出部と、
電気的な光源を有して人体検出部の検出範囲に対する照明が可能な照明部と、
人体検出部の検出範囲に入る人体が保持するＩＣタグから識別情報を読み取る無線読取部と、
少なくとも１個の識別情報が格納される記憶部と、
警報音を発生させる警報部と、
人体検出部による人体の検出に応じて照明部と警報部とをそれぞれ制御する制御部とを備え、
制御部は、人体検出部に人体が検出されたタイミングを基準として定められる読取期間内に、記憶部に格納された識別情報のいずれかが読取期間内に無線読取部によって読み取られた場合には警報部には警報音を発生させず照明部を制御して点灯を開始させ、記憶部に格納された識別情報のいずれも無線読取部によって読み取られないまま読取期間が経過したときに、照明部を制御して点灯を開始させるとともに警報部を制御して警報音の発生を開始させることを特徴とする防犯システム。
【発明の詳細な説明】
【技術分野】
【０００１】
本発明は、防犯システムに関するものである。
【背景技術】
【０００２】
従来から、所定の検出範囲の人体を検出する人体検出部と、人体検出部によって人体が検出されたときに音や光によって威嚇する威嚇動作を行う威嚇部とを備える防犯システムが提供されている。
【０００３】
さらに、この種の防犯システムにおいて、人体検出部の検出範囲に入る人体が保持するＩＣタグから識別情報を読み取る無線読取部を備え、予め登録された識別情報が無線読取部によって読み取られたときには威嚇部が威嚇動作を行なわないようにすることが提案されている（例えば、特許文献１参照）。
【特許文献１】特開２００７−２１９５８９号公報
【発明の開示】
【発明が解決しようとする課題】
【０００４】
上記従来例では、光源は威嚇にのみ用いられており、照明には用いられていなかった。
【０００５】
本発明は、上記事由に鑑みて為されたものであり、その目的は、光源が威嚇と照明とに兼用される防犯システムを提供することにある。
【課題を解決するための手段】
【０００６】
本発明は、所定の検出範囲の人体を検出する人体検出部と、電気的な光源を有して人体検出部の検出範囲に対する照明が可能な照明部と、人体検出部の検出範囲に入る人体が保持するＩＣタグから識別情報を読み取る無線読取部と、少なくとも１個の識別情報が格納される記憶部と、警報音を発生させる警報部と、人体検出部による人体の検出に応じて照明部と警報部とをそれぞれ制御する制御部とを備え、制御部は、人体検出部に人体が検出されたタイミングを基準として定められる読取期間内に、記憶部に格納された識別情報のいずれかが読取期間内に無線読取部によって読み取られた場合には警報部には警報音を発生させず照明部を制御して点灯を開始させ、記憶部に格納された識別情報のいずれも無線読取部によって読み取られないまま読取期間が経過したときに、照明部を制御して開始させるとともに警報部を制御して警報音の発生を開始させることを特徴とする。
【発明の効果】
【０００７】
本発明によれば、記憶部に格納された識別情報のいずれも無線読取部によって読み取られなかったときには警報部の警報音と照明部の点灯とによる威嚇が行なわれ、記憶部に格納された識別情報のいずれかが読取期間内に無線読取部によって読み取られた場合には照明部は照明用の点灯を行なうので、照明部の光源が威嚇と照明とに兼用される。
【発明を実施するための最良の形態】
【０００８】
以下、本発明を実施するための最良の形態について、図面を参照しながら説明する。
【０００９】
本実施形態は、図１及び図２に示すように、室外に設置され人体を検出するとともにＩＣタグから識別情報を読み取るセンサライト１と、室内に設置されて２線式の信号線３を介してセンサライト１に接続されセンサライト１における人体の検出や識別情報の読み取りに応じてセンサライト１を制御する親機２とを備える。センサライト１と親機２とはいわゆるインターホンシステムを構成するものであって、通話機能を有する。
【００１０】
センサライト１は、信号線３を介して電気信号を送受信する通信部１１と、親機２との通話のための通話部１２と、所定の検出範囲の人体を検出する人体検出部１３と、検出範囲に入る人体が携行するＩＣタグから識別情報を読み取る無線読取部１４と、人体検出部１３の検出範囲の少なくとも一部の照明が可能な照明部１５と、少なくとも一部が人体検出部１３の検出範囲に重なる所定の撮像範囲を撮像し撮像された画像をデジタルデータである画像データとして出力する撮像部１６と、例えばディップスイッチからなり人体検出部１３の感度などの設定の入力を受け付ける設定部１７と、通信部１１を介して入力される電気信号や、人体検出部１３による人体の検出や、無線読取部１４による識別情報の読取や、設定部１７に入力された設定に応じて、通信部１１と通話部１２と撮像部１６とをそれぞれ制御する制御部１８とを備える。
【００１１】
親機２は、信号線３を介して電気信号を送受信する通信部２１と、センサライト１の通話部１２との通話のための通話部２２と、通信部２１から入力された画像データを用いて画像を表示する表示装置としての表示部２３と、操作入力を受け付ける操作部２４と、通信部２１を介して入力される電気信号や操作部２４に受け付けられた操作入力に応じて通信部２１と通話部２２と表示部２３とをそれぞれ制御する制御部２５と、不揮発性メモリからなり少なくとも１個の識別情報が格納される記憶部２６とを備える。
【００１２】
センサライト１と親機２とのそれぞれにおいて、通話部１２，２２は、入力された音声を電気信号である音声信号に変換して該音声信号を通信部１１，２１と信号線３とを介して送信する送話回路（図示せず）と、信号線３と通信部１１，２１とを介して受信された音声信号を音声に変換する受話回路（図示せず）と、送話回路及び受話回路と通信部１１，２１との間に介在して送話回路から通信部１１，２１に入力される音声信号と通信部１１，２１から受話回路に入力される音声信号とを比較して信号レベル（すなわち音量）が低い方を減衰させ信号レベルが高いほうを増幅することにより通話方向を切り換える音声スイッチ（図示せず）とを備える。より具体的には、送話回路は、音声を電気信号である音声信号に変換するマイクロホンを有する。受話回路は、音声信号を音声に変換するスピーカを有する。
【００１３】
センサライト１と親機２とのそれぞれにおいて、通信部１１，２１は、具体的には例えば、信号線３との間でインピーダンスを整合させる周知のインピーダンス整合回路を備える。ここで、画像データと音声信号とは共通の信号線３を介して同時に送受信され得るので、画像データと音声信号とが互いに干渉することを避けるために、画像データはセンサライト１の制御部１８において多重伝送のための例えば周波数変調のような周知の変調を経て画像信号に変換された上で送信される。親機２の通信部２１は、信号線３から受信された電気信号から画像信号と音声信号とを分離させる分波回路とを備える。親機２において、画像信号から画像データへの復調は、例えば通信部２１で行なわれる。
【００１４】
センサライト１と親機２とのそれぞれにおいて、制御部１８，２５は、例えば、プログラムが予め格納された書換不可のメモリと、このメモリに格納されたプログラムに従って動作するマイコンからなる。
【００１５】
センサライト１の撮像部１６は、具体的には例えば広角レンズを介して画像が入力される撮像素子（図示せず）と、撮像素子の出力をデジタル変換して画像データを生成する変換回路（図示せず）とを備える。撮像素子としては、ＣＣＤ（Charge Coupled Device）型やＣＭＯＳ型のものを用いることができる。
【００１６】
センサライト１の人体検出部１３には、例えば人体から放射される熱線を焦電素子によって検出する周知の熱線センサを用いることができる。
【００１７】
センサライト１の照明部１５は、例えば白熱電球のような周知の電気的な光源１５ａと、制御部１８によって制御されて光源１５ａを点灯させる点灯回路（図示せず）とからなる。このような照明部１５は周知技術で実現可能であるので詳細な説明は省略する。図２に示すように、センサライト１は、撮像部１６を下端部に露出させる形で撮像部１６と人体検出１３とをそれぞれ保持するとともに通信部１１と通話部１２と制御部１８とをそれぞれ収納して壁面に対してねじ止め等によって固定されるハウジング１０ａと、照明部１５の少なくとも光源１５ａを保持するとともにハウジング１０ａに対して向きを可変とするようにアーム１０ｂを介して連結された灯体１０ｃとを備える。つまり、ハウジング１０ａに対する灯体１０ｃの向きを変更することで、光源１５ａの光が照射される範囲（すなわち照明部１５が照明する範囲）を変更することが可能となっている。
【００１８】
親機２の表示部２３は、具体的には例えば図２に示すように親機２の前面の上端部に露出する液晶パネル２３ａと、制御部２５による制御に応じて、通信部２１が出力した画像データを用いて液晶パネル２３ａを駆動し画像を表示させる駆動回路（図示せず）とを有する。また、画像を表示させる際には、広角レンズに起因する画像の歪みを平面的に補正する周知の歪補正が行われる。なお、歪補正は、センサライト１において変調の前に行われるようにしてもよい。図２の例では、操作部２４を構成する複数個の押釦２４ａ〜２４ｇは、それぞれ液晶パネル２３ａの下側に設けられている。
【００１９】
さらに、親機２には、親機２の機能のうちここでは特に説明しない一部の機能を有さないものの略同様の構成を有する副親機２ａや、操作部２４を構成する押釦２４ａ〜２４ｇのうち一部の押釦２４ｆ，ｇや表示部２３を有さないものの親機２と同様の通話部２２を有する通話副親機２ｂや、センサライト１と同様の通話部１２と同様の通話部を有して屋外に設置される子器１ａなどが信号線３を介して接続可能となっている。親機２，副親機２ａ，通話副親機２ｂは、操作部２４への操作入力に応じて、通話部２２を介して相互に通話可能であるとともに、センサライト１や子器１ａの通話部１２とも通話可能となっている。副親機２ａの基本構成は親器２と共通であり、通話副親機２ｂと子器１ａとはそれぞれ周知技術で実現可能であるので、これらについては詳細な図示及び説明は省略する。
【００２０】
以下、本実施形態の動作について説明する。センサライト１や親機２の制御部１８，２５は、親機２の操作部２４に受け付けられた操作入力に応じて、撮像部１６によって撮像された画像を表示部２３に表示させつつ通話部１２，２２による通話を可能とする通話モードと、通常は表示部２３には画像を表示させずセンサライト１の人体検出部１４で人体が検出されたときに撮像部１３によって撮像された画像を表示部２３に表示させる警戒モードとに動作モードを切換可能となっている。すなわち、動作モードの切り換えを指示する操作入力が親機２の操作部２４に受け付けられると、親機２の制御部２５は動作モードを切り換えるとともに、動作モードの切り替えを指示する制御信号を生成するとともに通信部２１を制御して該制御信号をセンサライト１へ送信させる。センサライト１では、動作モードの切り換えを指示する前記制御信号が通信部１１に受信されると、制御部１８が動作モードを切り換える。
【００２１】
通話モードでの動作については従来周知のテレビドアホンシステムでも同様の動作が可能であるので詳細な説明は省略し、本実施形態の要旨である警戒モードでの動作について、図３のフローチャート（流れ図）を用いて説明する。
【００２２】
センサライト１と親機２とでそれぞれ警戒モードでの動作が開始されると（Ｓ１）、センサライト１の制御部１８は、人体検出部１３によって人体が検出されるまでは人体検出部１３の出力の監視を継続する（Ｓ２）。人体検出部１３によって人体が検出されると、センサライト１の制御部１８は、所定の読取時間の計時を開始する（Ｓ３）。そして、センサライト１の制御部１８は、読取時間の計時が終了されるまでの読取期間中には、無線読取部１４の出力を監視する（Ｓ４）。センサライト１において、読取期間中に無線読取部１４によって識別情報が読み取られると、制御部１８は通信部１１を制御し、読み取られた識別情報を示す読取通知信号を親機２へ送信させる。親機２では、通信部２１に読取通知信号が受信されると、制御部２５は、受信された読取通知信号に示された識別情報を、記憶部２６に格納された識別情報と照合する（Ｓ５）。そして、親機２の制御部２５は、通信部２１に受信された読取通知信号に示された識別情報、すなわちセンサライト１の無線読取部１４によって読み取られた識別情報が、記憶部２６に格納された識別情報のいずれかに一致すると、所定の認証成功信号を生成して通信部２１を介してセンサライト１へ送信する。センサライト１では、読取期間中に通信部１１に認証成功信号が受信されると、制御部１８は、読取時間の計時を停止して読取期間を終了するとともに、照明のために照明部１５を点灯させる照明動作を所定の照明時間にわたって行い（Ｓ６）、その後、ステップＳ２に戻って人体検出部１３の出力の監視を再開する。また、ステップＳ５において、通信部２１に受信された読取通知信号に示された識別情報、すなわちセンサライト１の無線読取部１４によって読み取られた識別情報が、記憶部２６に格納された識別情報のいずれとも一致しなかった場合、親機２の制御部２５は、所定の認証失敗信号を生成して通信部２１を介してセンサライト１へ送信する。センサライト１では、読取期間中に通信部１１に認証失敗信号が受信されると、読取期間が終了しているか否かを判定し（Ｓ７）、読取期間が終了していなければステップＳ４に戻って無線読取部１４の出力の監視を継続する。そして、センサライト１において、認証成功信号が通信部１１に受信されないまま読取期間が終了（つまり読取時間の計時が完了）すると、制御部１８は、所定の警報信号と画像信号とを通信部１１から親機２へ送信させるとともに、通話部１２のスピーカを駆動して警報音を発生させるとともに照明部１５を点灯させる威嚇動作を、所定の威嚇時間にわたって行う。また、親機２では、警報信号が通信部２１に受信されると、通話部２２のスピーカを駆動して警報音を発生させるとともに画像信号から得られる画像を表示部２３に表示させる警報動作を、所定の威嚇時間にわたって行う（Ｓ８）。つまり、センサライト１と親機２とのそれぞれにおいて通話部１１，２１のスピーカが請求項における警報部となる。威嚇動作の終了後は、センサライト１の制御部１８はステップＳ２に戻って人体検出部１３の出力の監視を再開する。なお、威嚇動作や警報時間の継続時間を上記のように所定の威嚇時間とする代わりに、親機２の操作部２４において威嚇動作や警報動作の停止を指示する操作入力が受け付けられたときに威嚇動作や警報動作が終了するようにしてもよい。また、ステップＳ５の識別情報の照合にかかる時間に対して読取期間が短く読取期間中にステップＳ５の識別情報の照合を複数回行うことができない場合、センサカメラ１において通信部１１に認証失敗信号が受信されたときに制御部１８が読取期間を終了して警報動作を開始するとともに警報信号を通信部１１から送信させるようにしてもよい。
【００２３】
上記構成によれば、ＩＣタグを所持する正式な住人であれば威嚇動作や警報動作は行なわれないものの照明部１５は点灯されるので、照明部１５は威嚇と照明とに兼用されることになる。
【００２４】
また、室外に設置されるセンサライト１だけでなく、室内に設置される親機２でも警報音が鳴動されることにより、室外への威嚇だけでなく室内への報知も可能となっている。
【００２５】
なお、照明部１５を点灯させるだけでも威嚇の効果はあるので、上記実施形態では、照明動作時の照明部１５の点灯と威嚇動作時の照明部１５の点灯とは結果として同様の連続点灯となっているが、照明動作時には連続点灯とする一方で威嚇動作時には点滅させるといったように、照明動作と威嚇動作とで異なる点灯を照明部１５にさせてもよい。
【００２６】
また、記憶部２６を親機２に設ける代わりにセンサライト１に設けるとともに、識別情報の照合がセンサライト１の制御部１８によって行なわれるようにしてもよい。
【００２７】
さらに、上記の実施形態では人体検出部１３による人体検出のタイミングを読取期間の始点としているが、例えば人体検出部１３の検出範囲へ至る途上に無線読取部１４の読取範囲が存在するような場合、警戒モード中に常に無線読取部１４を動作させ、記憶部２６に格納された識別情報のいずれかに一致する識別情報が無線読取部１４に読み取られてから所定の停止時間が経過するまでは人体検出部１３に人体が検出されても威嚇動作や警報動作が行なわれず照明動作のみが行なわれるようにしてもよい。この場合、人体検出部１３に人体が検出されたタイミングから停止時間だけ遡るまでの期間も、請求項における読取期間に含まれることになる。
【００２８】
ここで、記憶部２６に格納される識別情報としては、親機２において操作部２４に入力された識別情報が記憶部２６に格納されるようにしてもよいし、親機２の操作部２４への操作入力によって切り換えられる動作モードとして登録モードを設け、登録モード中に無線読取部１４によって読み取られた識別情報が記憶部２６に格納されるようにしてもよい。
【図面の簡単な説明】
【００２９】
【図１】本発明の実施形態を示すブロック図である。
【図２】同上の概略構成を示す説明図である。
【図３】同上の動作を示す流れ図である。
【符号の説明】
【００３０】
１２，２２  通話部（請求項における警報部）
１３  人体検出部
１４  無線読取部
１５  照明部
１５ａ  光源
１８，２５  制御部
２６  記憶部
【図１】
2009205286.tif 000003
【図２】
2009205286.tif 000004
【図３】
2009205286.tif 000005